(57)【要約】【課題】扉の開閉に連動して棚板を出し入れできる扉開閉装置を提供することにある。【解決手段】平行四辺形のリンク機構を形成するように、収納家具本体１０と、この収納家具本体１０の開口部を閉鎖する扉２０とにそれぞれ２つずつ同一垂直面上に設けた回動支点４１，４２，４３，４４に、第１，第２アーム３１，３２の両端部を回動可能にそれぞれ支持する。さらに、前記収納家具本体１０内に棚板１７を奥行き方向に沿ってスライド可能に支持する。一方、前記棚板１７により近い第２アーム３２の中間部に連動バー３３の一端部を回動可能に連結するとともに、前記棚板１７を出し入れできるように前記連動バー３３の他端部を前記棚板１７に回動可能に支持した。【選択図】図６
2007270557.tif 000002
【特許請求の範囲】
【請求項１】
平行四辺形のリンク機構を形成するように、筐体と、この筐体の開口部を閉鎖する扉とにそれぞれ２つずつ同一垂直面上に設けた回動支点に、第１，第２アームの両端部を回動可能にそれぞれ支持した扉開閉装置であって、
前記筐体内に棚板を奥行き方向に沿ってスライド可能に支持する一方、前記棚板により近い第２アームの中間部に連動バーの一端部を回動可能に連結するとともに、前記棚板を出し入れできるように前記連動バーの他端部を前記棚板に回動可能に支持したことを特徴とする扉開閉装置。
【請求項２】
前記第２アームの一端部から延在した延在部の端部に、回動力を付与する回動力付与手段を回動可能に連結したことを特徴とする請求項１に記載の扉開閉装置。
【発明の詳細な説明】
【技術分野】
【０００１】
本発明は収納家具に取り付けられる扉開閉装置、特に、扉の開閉に連動させて棚板を出し入れできる扉開閉装置に関する。
【背景技術】
【０００２】
従来、収納家具に取り付けられる扉開閉装置としては、例えば、扉を手前側に引き出して開閉作業を行う扉体開閉装置がある（特許文献１参照）。
【特許文献１】特開２００５−２４０４６５号公報
【発明の開示】
【発明が解決しようとする課題】
【０００３】
しかしながら、前述の扉体開閉装置は、扉体１を開閉するだけである。このため、収納ハウジング２内に設けられた棚板、特に、奥行きの深い棚板が設置されている場合に、例えば、前記棚板に載置されたビデオデッキ等の収納物を操作しにくいという問題点がある。
【０００４】
本発明は、前記問題点に鑑み、扉の開閉に連動して棚板を出し入れできる扉開閉装置を提供することを課題とする。
【課題を解決するための手段】
【０００５】
本発明にかかる扉開閉装置は、前記課題を解決すべく、平行四辺形のリンク機構を形成するように、筐体と、この筐体の開口部を閉鎖する扉とにそれぞれ２つずつ同一垂直面上に設けた回動支点に、第１，第２アームの両端部を回動可能にそれぞれ支持した扉開閉装置であって、前記筐体内に棚板を奥行き方向に沿ってスライド可能に支持する一方、前記棚板により近い第２アームの中間部に連動バーの一端部を回動可能に連結するとともに、前記棚板を出し入れできるように前記連動バーの他端部を前記棚板に回動可能に支持した構成としてある。
【発明の効果】
【０００６】
本発明によれば、扉を開閉して第２アームを回動すると、この第２アームに回動可能に連結された連動バーが棚板をスライドさせる。このため、扉を開閉すると同時に棚板を引出し、あるいは、押し込むことができ、棚板に載置した収納物を容易に操作できる。
【０００７】
本発明にかかる実施形態としては、前記第２アームの一端部から延在した延在部の端部に、回動力を付与する回動力付与手段を回動可能に連結した構成としてもよい。
本実施形態によれば、エアーシリンダー、油圧シリンダー、コイルバネ等の回動力付与手段を介して回動力を付与でき、開閉操作がより一層簡単、かつ、容易になるという効果がある。
【発明を実施するための最良の形態】
【０００８】
本発明にかかる実施形態を図１ないし図７の添付図面に従って説明する。
本実施形態はビデオデッキ等の収納家具に適用した場合である。前記収納家具は、収納家具本体１０の前面開口部に２組の扉２０，２０をそれぞれ開閉可能に並設した場合である。
【０００９】
前記収納家具本体１０は側板１１および間仕切り１２に、天板１３および底板１４をそれぞれ組み付けて箱形状にするとともに、前記天板１３を化粧天板１５で被覆したものである。前記収納家具本体１０内には、図４に示すように、間仕切り板１２の対向面に設けたガイドレール１６（説明の便宜上、手前側の間仕切り板１２は図示しない）を介して棚板１７を水平方向にスライド可能に装着してある。さらに、前記間仕切り板１２の対向面隅部には取付板１８がネジ止めされている（図２Ａ）。
【００１０】
前記扉２０は透明ガラス２１を嵌め込んだものであり、取っ手２２を引き出すことにより、後述する扉開閉装置３０を介して収納家具本体１０の開口部を開閉できる。また、図２Ｂに示すように、前記扉２０の内向面隅部に取付金具２３をネジ止めしてある。
【００１１】
前記扉開閉装置３０は、図２および図４に示すように、第１アーム３１と，第２アーム３２と，連動バー３３と，エアーシリンダー３４と、連結バー３５，３６とで構成されている。
【００１２】
すなわち、第１アーム３１は、一端を前記取付板１８に設けた第１回動支点４１に回動可能に支持してあるとともに、その他端部を前記取付金具２３の上方端部である第２回動支点４２に回動可能に支持してある
【００１３】
第２アーム３２は、中間部を略く字形状に屈曲するとともに、一端部を逆方向に延在させて延在部３２ａを形成した形状を有するものである。そして、第２アーム３２は、一端部を取付板１８に設けた第３回動支点４３に回動可能に回動可能に支持するとともに、他端部を前記取付金具２３の下方端部である第４回動支点４４に回動可能に支持してある。さらに、前記第２アーム３２は、前記延在部３２ａの一端部をエアーシリンダー３４の他端部に回動可能に連結してある。
【００１４】
前記エアーシリンダー３４は、その一端部を取付板１８に設けた第５回動支点４５に回動可能に支持することにより、前記扉２０の開閉作業を円滑、かつ、容易にする。
【００１５】
前記第２アーム３２の中間部に、連動バー３３の他端部を回動可能に連結してある一方、前記連動バー３３の一端部を、棚板１７に取り付けた取付金具１７ａに回動可能に支持してある。
【００１６】
前記第１アーム３１および第２アーム３２は、図２Ｂに示すように、反対側に配置した対向する第１アーム３１および第２アーム３２に連結バー３５，３６を介してそれぞれ連結されている。支持強度を高め、円滑な開閉動作を確保するためである。
【００１７】
また、前記取付板１８に保護カバー１９を装着することにより、前記第１，第３，第５回動支点４１，４３，４５を被覆し、安全性を高めてある。
【００１８】
次に、前述の構成を有する扉開閉装置の動作を、図４ないし図７に基づいて説明する。なお、説明の便宜上、図４ないし図７においては、間仕切り板１２の対向面に沿って切断した断面図を図示するとともに、取付板１８を透明板として図示してある。
【００１９】
まず、図４に示すように、扉２０が収納家具本体１０の開口部を覆っている場合には、第１アーム３１および第２アーム３２が垂直方向、かつ、略平行に配置されているとともに、第２アーム３２に連結された連動バー３３が内方に押し込まれ、棚板１７が最も内部深くに押し込まれている。
【００２０】
そして、図５に示すように、第１アーム３１および第２アーム３２の第１，第２，第３，第４回動支点４１，４２，４３，４４が平行四辺形のリンク機構を形成している。このため、扉２０を手前に引き出すと、第１アーム３１が第１回動支点４１を中心に回動するとともに、第２アーム３２も第３回動支点４３を中心に回動する。さらに、第２アーム３２の延在部３２ａが第３回動支点４３を中心に回動し、エアーシリンダー３４を引き出すとともに、前記エアーシリンダー３４が第５回動支点４５を中心に回動する。さらに、前記第２アーム３２が第３回動支点４３を中心に回動することにより、連動バー３３が引き出され、棚板１７がガイドレール１６に沿って手前側に引き出される。
【００２１】
さらに、図６に示すように、前記扉２０を引き出すと、第１アーム３１が第１回動支点４１を中心に更に回動するとともに、第２アーム３２も第３回動支点４３を中心に更に回動する。このため、第２アーム３２の延在部３２ａが第３回動支点４３を中心に回動し、エアーシリンダー３４を更に引き出すとともに、第５回動支点４５を中心に前記エアーシリンダー３４が回動する。この結果、前記第２アーム３２が第３回動支点４３を中心に回動することにより、連動バー３３が更に引き出され、棚板１７が更に手前側に引き出される。
【００２２】
ついで、図７に示すように、前記扉２０を上方に持ち上げると、第１アーム３１が第１回動支点４１を中心に上方側に回動するとともに、第２アーム３２も第３回動支点４３を中心に上方側に回動する。このため、第２アーム３２の延在部３２ａが第３回動支点４３を中心に回動し、エアーシリンダー３４を最大限に引き出す。この結果、前記第２アーム３２が第３回動支点４３を中心に回動することにより、上方に引き上げられた連動バー３３が棚板１７を最大限、手前側に引き出す。
【００２３】
そして、前記扉２０を閉鎖する場合には、前述と逆の動作が行われることにより、扉２０が収納家具本体の開口部を閉じる。本実施形態では、開放時にエアーシリンダー３４が引き出されるので、扉２０を閉鎖する場合にはエアーシリンダー３４の引く力が作用し、滑らかな閉鎖動作を行うことができる。
【００２４】
本実施形態によれば、扉２０を開閉すると、これに連動して棚板１７を出し入れできる。このため、例えば、棚板１７に載置されているビデオデッキを手前側に引き出すことができ、操作しやすくなるという利点がある。
【産業上の利用可能性】
【００２５】
本発明にかかる扉開閉装置は、収納家具だけでなく、台所のシンクキャビネット、食器棚、書棚、下駄箱等の家具にも適用できる。
【図面の簡単な説明】
【００２６】
【図１】本発明にかかる扉開閉装置を適用した収納家具を示す斜視図である。
【図２】図２Ａ，２Ｂは扉開閉装置の取り付け状態を示す斜視図である。
【図３】図１で示した収納家具の正面部分断面図である。
【図４】図１で示した扉開閉装置の操作方法を説明するための操作前を示す断面図である。
【図５】図１で示した扉開閉装置の操作方法を説明するための操作途中を示す断面図である。
【図６】図１で示した扉開閉装置の操作方法を説明するための操作途中を示す断面図である。
【図７】図１で示した扉開閉装置の操作方法を説明するための操作後を示す断面図である。
【符号の説明】
【００２７】
１０：収納家具本体
１１：側板
１２：間仕切り
１７：棚板
１８：取付板
１９：保護カバー
２０：扉
２３：取付金具
３０：扉開閉装置
３１：第１アーム
３２：第２アーム
３２ａ：延在部
３３：連動バー
３４：エアーシリンダー
３５，３６：連結バー
４１：第１回動支点
４２：第２回動支点
４３：第３回動支点
４４：第４回動支点
４５：第５回動支点
【図１】
2007270557.tif 000003
【図２】
2007270557.tif 000004
【図３】
2007270557.tif 000005
【図４】
2007270557.tif 000006
【図５】
2007270557.tif 000007
【図６】
2007270557.tif 000008
【図７】
2007270557.tif 000009